(57)【要約】【課題】巻き取り可能であり、平面性及び外観が良好なスクリーンを提供する。【解決手段】樹脂層１１２（光透過部１１２ａ及び光吸収部１１２ｂ）を形成する紫外線硬化型樹脂に関して、そのガラス転移点及びガラス転移点を超えてゴム状弾性を示す状態での貯蔵弾性率を規定した。ガラス転移点は、−６０℃から２５℃の範囲内、又は、６０℃から１５０℃の範囲内、より好ましくは−６０℃から１０℃の範囲内とし、貯蔵弾性率は、１０7Ｐａ以上の値のものとした。【選択図】図２
2007328110.tif 000002
【特許請求の範囲】
【請求項１】
映像源から投影された映像光を観察可能に表示するスクリーンであって、
シート状又はフィルム状の部材である基材層と、
前記基材層の一方の面に設けられる樹脂層と、
を備え、
前記樹脂層のガラス転移点は、−６０℃から２５℃の範囲内、又は、６０℃から１５０℃の範囲内であること、
を特徴とするスクリーン。
【請求項２】
請求項１に記載のスクリーンにおいて、
前記樹脂層のガラス転移点は、−６０℃から１０℃の範囲内であること、
を特徴とするスクリーン。
【請求項３】
請求項１又は請求項２に記載のスクリーンにおいて、
前記樹脂層は、ガラス転移点を超えてゴム状弾性を示す状態での貯蔵弾性率が１０7Ｐａ以上であること、
を特徴とするスクリーン。
【請求項４】
請求項１から請求項３までのいずれか１項に記載のスクリーンにおいて、
前記基材層のガラス転移点は、６０℃から１５０℃の範囲内であること、
を特徴とするスクリーン。
【請求項５】
請求項１から請求項４までのいずれか１項に記載のスクリーンにおいて、
前記基材層は、ポリエチレンテレフタレート及び／又はポリカーボネートを用いて形成されていること、
を特徴とするスクリーン。
【請求項６】
請求項１から請求項５までのいずれか１項に記載のスクリーンにおいて、
巻き取り可能な可撓性を有すること、
を特徴とするスクリーン。
【請求項７】
請求項１から請求項６までのいずれか１項に記載のスクリーンにおいて、
前記樹脂層は、光硬化型樹脂を用いて形成されていること、
を特徴とするスクリーン。
【請求項８】
請求項１から請求項７までのいずれか１項に記載のスクリーンにおいて、
前記樹脂層は、オリゴマーとしてウレタンアクリレートを含有していること、
を特徴とするスクリーン。
【請求項９】
請求項１から請求項８までのいずれか１項に記載のスクリーンにおいて、
前記樹脂層は、スクリーン面に対して直交する断面において、光を透過可能な光透過部と、光を吸収する光吸収部とが、前記スクリーン面に沿って交互に形成されていること、
を特徴とするスクリーン。
【請求項１０】
請求項９に記載のスクリーンにおいて、
前記光透過部は、前記スクリーン面に対して直交する断面において、裏面側における幅より前記映像源側における幅が広い略台形形状であって、前記スクリーン面に沿って多数並べて形成された単位プリズム形状であること、
を特徴とするスクリーン。
【請求項１１】
請求項１から請求項１０までのいずれか１項に記載のスクリーンにおいて、
前記基材層の厚みは、１８８μｍ以下であること、
を特徴とするスクリーン。
【請求項１２】
請求項１から請求項１１までのいずれか１項に記載のスクリーンにおいて、
前記樹脂層の厚みは、２００μｍ以下であること、
を特徴とするスクリーン。
【請求項１３】
請求項１から請求項１２までのいずれか１項に記載のスクリーンにおいて、
前記映像光を観察可能に表示する領域以外の部分に設けられたシート状又はフィルム状の非スクリーン本体部を備え、
前記非スクリーン本体部のガラス転移点は、６０℃から１５０℃の範囲内であること、
を特徴とするスクリーン。
【発明の詳細な説明】
【技術分野】
【０００１】
本発明は、映像源から投影された映像光を観察可能に表示するスクリーンに関するものである。
【背景技術】
【０００２】
近年、プロジェクターにより映像光を投射し、大画面のスクリーンで映像を楽しめるホームシアター等の低価格化が進み、一般家庭等にも普及し始めている。このような大画面のスクリーンの中でも、不使用時には巻き取って収納できる可搬式のスクリーンや、天井や壁の高い位置に取り付けられ、スクリーンを床側へ引き出して使用するスクリーン等が広く普及している（例えば、特許文献１）。
【０００３】
このような巻き取り可能なスクリーンでは、不使用時や輸送時等に巻き取られた状態で長時間保管される場合、スクリーンに、筋状の巻きグセ（巻き段）やスクリーン面が緩やかな曲面となるような巻きグセ（カール）等が発生してスクリーンの平面性が劣化し、投影された映像が歪んで観察されるという問題があった。また、そのような巻きグセによって、スクリーンの外観が著しく劣化するという問題があった。
特に、より高画質な映像を表示するために、スクリーンにレンズ形状等を賦形したフィルム等を積層した場合には、環境の変化等によってレンズ形状等を形成する樹脂に含まれる高分子の結合状態が変化して、スクリーンの平面性や外観が損なわれるという問題があった。
【特許文献１】特許２９４７０４５号公報
【発明の開示】
【発明が解決しようとする課題】
【０００４】
本発明の課題は、巻き取り可能であり、平面性及び外観が良好なスクリーンを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、映像源から投影された映像光を観察可能に表示するスクリーンであって、シート状又はフィルム状の部材である基材層（１１１）と、前記基材層の一方の面に設けられる樹脂層（１１２）と、を備え、前記樹脂層のガラス転移点は、−６０℃から２５℃の範囲内、又は、６０℃から１５０℃の範囲内であること、を特徴とするスクリーン（１００）である。
請求項２の発明は、請求項１に記載のスクリーンにおいて、前記樹脂層（１１２）のガラス転移点は、−６０℃から１０℃の範囲内であること、を特徴とするスクリーン（１００）である。
請求項３の発明は、請求項１又は請求項２に記載のスクリーンにおいて、前記樹脂層（１１２）は、ガラス転移点を超えてゴム状弾性を示す状態での貯蔵弾性率が１０7Ｐａ以上であること、を特徴とするスクリーン（１００）である。
請求項４の発明は、請求項１から請求項３までのいずれか１項に記載のスクリーンにおいて、前記基材層（１１１）のガラス転移点は、６０℃から１５０℃の範囲内であること、を特徴とするスクリーン（１００）である。
請求項５の発明は、請求項１から請求項４までのいずれか１項に記載のスクリーンにおいて、前記基材層（１１１）は、ポリエチレンテレフタレート及び／又はポリカーボネートを用いて形成されていること、を特徴とするスクリーン（１００）である。
請求項６の発明は、請求項１から請求項５までのいずれか１項に記載のスクリーンにおいて、巻き取り可能な可撓性を有すること、を特徴とするスクリーン（１００）である。
請求項７の発明は、請求項１から請求項６までのいずれか１項に記載のスクリーンにおいて、前記樹脂層（１１２）は、光硬化型樹脂を用いて形成されていること、を特徴とするスクリーン（１００）である。
請求項８の発明は、請求項１から請求項７までのいずれか１項に記載のスクリーンにおいて、前記樹脂層（１１２）は、オリゴマーとしてウレタンアクリレートを含有していること、を特徴とするスクリーン（１００）である。
請求項９の発明は、請求項１から請求項８までのいずれか１項に記載のスクリーンにおいて、前記樹脂層（１１２）は、スクリーン面に対して直交する断面において、光を透過可能な光透過部（１１２ａ）と、光を吸収する光吸収部（１１２ｂ）とが、前記スクリーン面に沿って交互に形成されていること、を特徴とするスクリーン（１００）である。
請求項１０の発明は、請求項９に記載のスクリーンにおいて、前記光透過部（１１２）は、前記スクリーン面に対して直交する断面において、裏面側における幅より前記映像源側における幅が広い略台形形状であって、前記スクリーン面に沿って多数並べて形成された単位プリズム形状であること、を特徴とするスクリーン（１００）である。
請求項１１の発明は、請求項１から請求項１０までのいずれか１項に記載のスクリーンにおいて、前記基材層（１１１）の厚みは、１８８μｍ以下であること、を特徴とするスクリーン（１００）である。
請求項１２の発明は、請求項１から請求項１１までのいずれか１項に記載のスクリーンにおいて、前記樹脂層（１１２）の厚みは、２００μｍ以下であること、を特徴とするスクリーン（１００）である。
請求項１３の発明は、請求項１から請求項１２までのいずれか１項に記載のスクリーンにおいて、前記映像光を観察可能に表示する領域以外の部分に設けられたシート状又はフィルム状の非スクリーン本体部（１２０）を備え、前記非スクリーン本体部のガラス転移点は、６０℃から１５０℃の範囲内であること、を特徴とするスクリーン（１００）である。
【発明の効果】
【０００６】
本発明によれば、以下の効果を奏することができる。
（１）樹脂層のガラス転移点は、−６０℃から２５℃の範囲内、又は、６０℃から１５０℃の範囲内であるので、使用する環境の温度が２５℃から６０℃の範囲内である場合には、環境の温度変化によって樹脂層の温度が変化したときにも、その温度変化は、ガラス転移点より高い温度領域、又は、ガラス転移点よりも低い温度領域の中での温度変化となり、ガラス転移点を超えて下がったり、上がったりすることがない。従って、樹脂層を形成する高分子の結合状態が変化しないので、スクリーンの平面性を維持でき、かつ、ヒビ割れ等の外観不良を生じることがない。
【０００７】
（２）樹脂層のガラス転移点は、−６０℃から１０℃の範囲内であるので、使用する環境の温度が１０℃を超える場合には、環境の温度変化によって樹脂層の温度が変化したときにも、その温度変化は、ガラス転移点よりも高い温度領域であり、ガラス転移点よりも下がることがない。従って、樹脂層を形成する高分子の結合状態が変化することがないので、スクリーンの平面性を維持でき、かつ、外観不良を生じることがない。また、スクリーンが、輸送時のコンテナ内等で高温状態に置かれた場合にも、ガラス転移点より高い温度領域での温度変化となるので、平面性及び外観の良好さを維持できる。
【０００８】
（３）樹脂層は、ガラス転移点を超えてゴム状弾性を示す状態での貯蔵弾性率が１０7Ｐａ以上であるので、樹脂層に粘着性が生じることが無い。従って、収納時等に、スクリーンを巻き取ったり重ねたりした場合にも、スクリーン同士が貼り付く等して破損したり、外観不良を生じたりすることが無い。
【０００９】
（４）基材層のガラス転移点は、６０℃から１５０℃の範囲内であるので、使用状態等において、基材層の温度が変化した場合にも、ガラス転移点よりも低い温度領域で変化する。従って、基材層を形成する高分子の結合状態が変化しないので、基材層の平面性及び外観を良好に維持することができる。
【００１０】
（５）基材層は、ポリエチレンテレフタレート及び／又はポリカーボネートを用いて形成されているので、スクリーンの使用状態等において、温度変化の影響を受けないガラス転移点を有しており、スクリーンの平面性及び外観を良好に保つことができる。また、これらの樹脂は、入手が容易であり、生産コストを低減できる。
【００１１】
（６）スクリーンは、巻き取り可能な可撓性を有するので、不使用時や輸送時等に、巻き取って収納することができる。
【００１２】
（７）樹脂層は、光硬化型樹脂を用いて形成されているので、形成が容易である。
【００１３】
（８）樹脂層は、オリゴマーとしてウレタンアクリレートを含有しているので、柔軟性の高いスクリーンを容易に形成できる。
【００１４】
（９）樹脂層は、スクリーン面に対して直交する断面において、光を透過可能な光透過部と、光を吸収する光吸収部とが、スクリーン面に沿って交互に形成されているので、不要な外光を吸収し、コントラストの高い映像を表示できる。
【００１５】
（１０）光透過部は、スクリーン面に対して直交する断面において、裏面側における幅より前記映像源側における幅が広い略台形形状であって、スクリーン面に沿って多数並べて形成された単位プリズム形状であるので、必要な観察方向へ効率よく映像光を向けることができる。
【００１６】
（１１）基材層の厚みは、１８８μｍ以下であるので、巻き取りが容易であり、かつ、軽量なスクリーンとすることができる。
【００１７】
（１２）樹脂層の厚みは、２００μｍ以下であるので、巻き取りが容易であり、かつ、軽量なスクリーンとすることができる。
【００１８】
（１３）非スクリーン本体部のガラス転移点は、６０℃から１５０℃の範囲内であるので、使用状態等において、非スクリーン本体部の温度が変化した場合にも、ガラス転移点よりも低い温度領域で変化する。従って、非スクリーン本体部を形成する高分子の結合状態が変化しないので、非スクリーン本体部の平面性及び外観を良好に維持することができる。
【発明を実施するための最良の形態】
【００１９】
本発明は、巻き取り可能であり、平面性及び外観が良好なスクリーンを提供するという目的を、樹脂層のガラス転移点と、ガラス転移点を超えたゴム状弾性を示す状態での貯蔵弾性率とを規定することにより実現した。
【実施例】
【００２０】
図１は、本発明によるスクリーンの実施例を用いた巻き取り型反射スクリーン装置１０を示す図である。
なお、図１を含め、以下に示す各図は、説明のため各部寸法，形状等を適宜誇張して示している。また、各図中における垂直方向、水平方向とは、スクリーン１００の使用状態における垂直方向、水平方向である。
巻き取り型反射スクリーン装置１０は、本実施例のスクリーン１００，収納部１２，錘部１３等を備えている。この巻き取り型反射スクリーン装置１０は、天井などに取り付けられ、スクリーン使用時には、後述の収納部１２からスクリーン１００を引き出して映像光を投射して映像を表示し、不使用時には収納部１２内に巻き取ることが可能である。
【００２１】
収納部１２は、不使用時に巻き取ったスクリーン１００をその内部に収納する部分である。収納部１２は、金属又はプラスチック製等の中空の部材であり、スクリーン１００を引き出し可能なスリット等がその軸方向に形成されている。収納部１２の内部には、スクリーン１００を巻き取る不図示の巻き芯（外径５０ｍｍ）が備えられており、本実施例では、後述のスクリーン本体部１１０に接合された後述の非スクリーン本体部１２０の一端が、この巻き芯に両面テープ等を用いて取り付けられている。また、本実施例では、収納時には、スクリーン１００は、使用時の観察面側が巻き芯側となるように巻き取られる形態となっている。
【００２２】
錘部１３は、スクリーン１００の巻き芯に取り付けられる一端とは反対側の端部に設けられた部分である。この錘部１３は、スクリーン１００の使用状態の平面性を高めるのに十分な重さを有している。本実施例では、錘部１３は、金属製の丸棒状の部材であり、スクリーン本体部１１０に接合された非スクリーン本体部１２０の一端が巻き付けられ、接着されている。
【００２３】
本実施例に示す巻き取り型反射スクリーン装置１０は、スクリーン１００の巻き取りを、スプリングの付勢力によって行うスプリング巻き上げ方式の反射スクリーンである。しかし、これに限らず、例えば、スクリーンの巻き取りを電動で行う電動式巻き取り方式や、パンタグラフを複数組み合わせた伸縮機構による下からの持ち上げによってスクリーンを使用状態となるように引き出し、これと逆の動作によってスクリーンを巻き取る方式のものでもよい。
本実施例のスクリーン１００は、収納時等に巻き取り可能であり、プロジェクター光学エンジン部（映像源）Ｌから投影された映像光を観察者Ｏ側へ反射させて観察可能とする巻き取り型反射スクリーンである。この本実施例のスクリーン１００は、映像を表示するスクリーン本体部１１０と、映像を表示しない非スクリーン本体部１２０とを有する。
【００２４】
非スクリーン本体部１２０は、シート状又はフィルム状の部材であり、一方の端部がスクリーン本体部１１０と接合されている。本実施例では、非スクリーン本体部１２０は、厚さ１００μｍのポリエチレンテレフタレート（ＰＥＴ）製の黒色のシート状の部材であり、そのガラス転移点は、７０℃である。
この非スクリーン本体部１２０は、スカートフィルムやリード部とも呼ばれ、映像を表示せず、収納部１２０から引き出された長さによって、スクリーン本体部１１０の高さを調整する機能を有する。
本実施例では、非スクリーン本体部１２０は、ＰＥＴ製である例を示したが、これに限らず、例えば、ポリカーボネート（ＰＣ），ポリ塩化ビニル（ＰＶＣ），オレフィン系樹脂，ターポリン等を適宜選択して用いてもよい。
【００２５】
図２は、本実施例のスクリーン１００の使用状態におけるスクリーン本体部１１０の垂直方向の断面図である。
スクリーン本体部１１０は、映像源Ｌから投影された映像を表示するシート状又はフィルム状の部分であり、その端部には、非スクリーン本体部１２０が接合されている（図１参照）。
スクリーン本体部１１０は、基材層１１１，樹脂層１１２，反射層１１３等を有する。
基材層１１１は、樹脂層１１２を形成する基材となるシート状又はフィルム状の部分であり、光透過性を有している。本実施例では、厚さ１００μｍのＰＥＴ製のフィルム状の部材を用いており、そのガラス転移点は７０℃である。
基材層１１１の厚みは、１８８μｍ以下であることが、スクリーンの巻き取り易さ、スクリーンの軽量化の点から好ましい。
【００２６】
樹脂層１１２は、光透過部１１２ａ，光吸収部１１２ｂを有し、基材層１１１の一方の面（裏面側）に設けられる層である。本実施例では、この樹脂層１１２は、その厚みが１５０μｍである。なお、樹脂層１１２は、その厚みが２００μｍ以下であることが、スクリーンの巻き取り易さ、スクリーンの軽量化の点から好ましい。
【００２７】
光透過部１１２ａは、光を透過し、スクリーン面に対して直交する断面において、観察面側における幅が裏面側における幅よりも広い台形形状であり、スクリーン面の垂直方向に沿って多数並べて形成された単位プリズム形状となっている。
ここで、スクリーン面とは、スクリーン全体として見たときにおける、スクリーンの平面方向となる面を示すものであり、以下の説明中、及び、特許請求の範囲においても同一の定義として用いている。
【００２８】
本実施例の光透過部１１２ａは、オリゴマーとして、ジフェニルメタン−４，４’−ジイソシアネート（ＭＤＩ）、ポリテトラメチレングリコール、２−ヒドロキシエチルアクリレートを有するウレタンアクリレートを２０％含有した紫外線硬化型樹脂を用いて形成され、そのガラス転移点は５℃、ガラス転移点を超えてゴム状弾性を示す状態での貯蔵弾性率は７×１０8Ｐａである。
なお、本実施例では、光透過部１１２ａは、紫外線硬化型樹脂を用いて形成される例を示したが、これに限らず、例えば、電離放射線硬化型樹脂等の他の光硬化型樹脂を用いて形成してもよい。また、光透過性を有する熱可塑性樹脂等を用いて形成してもよい。
【００２９】
光吸収部１１２ｂは、複数並べられた光透過部１１２ａ同士の間隙に形成された光を吸収する作用を有する部分である。本実施例における光吸収部１１２ｂは、光を吸収する作用を有する黒色ビーズを、光透過部１１２ａを形成する樹脂よりも屈折率の低い樹脂に混練し、光透過部１１２ａ同士の隙間に充填して形成されている。
この光吸収部１１２ｂを形成する樹脂は、紫外線硬化型樹脂であり、光透過部１１２ａを形成する紫外線硬化型樹脂と同じく、そのガラス転移点が５℃である。また、光吸収部１１２ｂを形成する紫外線硬化型樹脂は、オリゴマーとして、４，４’−ジシクロヘキシルメタンジイソシアネート（ＨＭＤＩ）、ポリテトラメチレングリコール、２−ヒドロキシエチルアクリレートを有するウレタンアクリレートを２０％含有し、ガラス転移点を超えてゴム状弾性を示す状態での貯蔵弾性率の値は８×１０9Ｐａである。
【００３０】
ここで、樹脂層１１２は、ガラス転移点を超えてゴム状弾性を示す状態での貯蔵弾性率が１０7Ｐａ以上であることが好ましい。これは、この値以下である場合、樹脂層を形成する樹脂が粘性を帯びるからである。樹脂層がゴム状弾性を示す状態で、その貯蔵弾性率が１０7Ｐａ未満となっている場合に、スクリーンを巻き取る等すると、巻き取られたスクリーンがその粘着性により貼りついてしまい、使用時にスクリーンを引き出せなくなってしまう。また、貼りついたスクリーンを再び剥がすことによりスクリーンに傷が付いたり、スクリーンにゴミや埃等の異物が付着したりして、その外観を著しく悪化させる。そのため、樹脂層１１２を形成する樹脂のガラス転移点を超えたゴム状弾性を示す状態での貯蔵弾性率は、１０7Ｐａ以上の値であることが好ましい。
【００３１】
反射層１１３は、光透過部１１２ａよりも裏面側に形成され、映像光を反射して映像源側（観察面側）へ戻す作用を有する層である。本実施例では、反射層１１３は、樹脂層１１２の裏面側全面に、高反射性を有するシルバー色塗料を塗布して形成されている。
なお、反射層１１３は、グラビアリバースコート、スクリーン印刷、インクジェット方式による塗布、蒸着（アルミニウム、銀、クロム等、反射率の高い金属を用いることが望ましい）等の形成方法を用いることができる。
また、反射層１１３の形成に使用する塗料としては、例えば、塗装後の表面がマットとなるつや消しの白色塗料、塗装後の表面の映り込みの大きい（テカリの強い）グロス白系の塗料、銀色系（メタリック）の塗料、マイカ（雲母）やビーズを適宜混入させた塗料等を使用してもよい。これらを適宜使い分けることにより、観察領域や輝度、光源の映り込み防止効果等を制御できる。
【００３２】
さらに、本実施例では、反射層１１３は、高反射性を有するシルバー色塗料を塗布して形成される例を示したが、これに限らず、その表面に反射性塗膜を形成したシート状の部材や反射性顔料を含む樹脂により形成されたシート状の部材等の反射特性を有するシート状の部材を、樹脂層１１２の裏面（光透過部１１２ａ及び光吸収部１１２ｂが形成された面）に粘着材又は接着材を介して貼り合わせることにより形成してもよい。
【００３３】
（比較例との対比）
ここで、本実施例のスクリーン１００を用いた巻き取り型反射スクリーン装置１０と略同様であるが、樹脂層を形成する紫外線硬化型樹脂のガラス転移点のみが異なる不図示の比較例のスクリーンを用いて、同様の巻き取り型反射スクリーン装置を形成し、平面性や外観を比較する実験を行った。
比較例のスクリーンは、その樹脂層（光透過部及び光吸収部）を形成する紫外線硬化型樹脂のガラス転移点は４０℃であり、ガラス転移点を超えてゴム状弾性を示す状態での貯蔵弾性率の値は４×１０7Ｐａである。
【００３４】
本実施例のスクリーン１００を用いた反射型スクリーン装置１０及び比較例のスクリーンを用いた巻き取り型反射スクリーン装置を、スクリーンを巻き取った状態で６０℃に設定された高温槽に一週間保管し、その後室温（２３℃）に戻してから、スクリーンを使用状態に引き出し、その平面性及び外観を評価した。
比較例の巻き取り型反射スクリーンでは、スクリーン本体部に巻きグセが発生して映像が歪んで観察され、その平面性は著しく劣化した。また、巻きグセやヒビ割れ等により、スクリーンの外観も不良であった。
しかし、本実施例のスクリーン１００を用いた巻き取り型反射スクリーン装置１０では、巻きグセやヒビ割れ等は発生せず、その平面性及び外観は良好であった。
【００３５】
この結果より、スクリーンの平面性及び外観の向上の観点から、樹脂層１１２（光透過部１１２ａ，光吸収部１１２ｂ）を形成する樹脂のガラス転移点は、−６０℃から２５℃の範囲内、又は、６０℃から１５０℃の範囲内であることが好ましいといえる。より好ましくは、−６０℃から１０℃の範囲内である。
樹脂層１１２を形成する樹脂のガラス転移点がこの範囲内にあれば、周囲の温度によって樹脂の温度が変化した場合にも、その変化する領域は、ガラス転移点よりも高い領域、又は、ガラス転移点よりも低い領域での温度変化となり、樹脂を形成する高分子の状態が安定した状態を保つことができる。従って、スクリーンが巻き取られた状態で、温度変化により高分子の状態が変化したり、変化した状態で再び固定されたりすることに起因して生じる巻きグセを防止でき、スクリーンの平面性及び外観を良好に保つことができる。
【００３６】
なお、樹脂層１１２を形成する樹脂のガラス転移点は、２５℃以下又は６０℃から１５０℃の範囲内が好ましい。また、より好ましい範囲は、１０℃以下である。しかし、材料の入手の容易さ等を考慮すると、上記のように、−６０℃から２５℃の範囲内、又は、６０℃から１５０℃の範囲内であることが好ましく、より好ましくは、−６０℃から１０℃の範囲内となる。
また、基材層１１１を形成する樹脂に関しても、同様の理由から、そのガラス転移点が６０℃から１５０℃の範囲内であることが好ましい。非スクリーン本体部１２０のガラス転移点についても同様に、６０℃から１５０℃の範囲内であることが好ましい。
【００３７】
本実施例によれば、樹脂層１１２（光透過部１１２ａ及び光吸収部１１２ｂ）を形成する樹脂のガラス転移点は、−６０℃から１０℃の範囲内であるので、不使用時や輸送時等での周囲の温度変化によって巻きグセが発生することなく、巻き取り可能であり、平面性及び外観の良好なスクリーン１００とすることができる。
また、樹脂層１１２（光透過部１１２ａ及び光吸収部１１２ｂ）を形成する樹脂は、ガラス転移点を超えたゴム状弾性を示す状態での貯蔵弾性率が１０7Ｐａ以上であるので、樹脂層１１２を形成する樹脂が粘性を帯びることなく、スクリーン１００の巻き取り、巻き出しが容易である。
【００３８】
さらに、基材層１１２及び非スクリーン本体部１２０は、ＰＥＴを用いて形成されており、基材層１１２のガラス転移点が７０℃であり、非スクリーン本体部１２０のガラス転移点が７０℃であるので、スクリーン１００の使用時や輸送時等の環境の温度変化によって、その温度がガラス転移点を超え難い。従って、基材層１１２及び非スクリーン本体部１２０の平面性、外観は良好に保たれる。
【００３９】
（変形例）
以上説明した実施例に限定されることなく、種々の変形や変更が可能であって、それらも本発明の均等の範囲内である。
（１）本実施例において、基材層１１１は、ＰＥＴを用いて形成される例を示したが、これに限らず、ガラス転移点が６０℃から１５０℃の範囲内であれば、例えば、ポリカーボネート（ＰＣ）、ポリメチルメタクリレート（ＰＭＭＡ）、シクロオレフィンポリマー（ＣＯＣ)、及びそれらの変性体、アロイ化ポリマー等を用いて形成しても良い。
【００４０】
（２）本実施例では、非スクリーン本体部１２０は、ＰＥＴにより形成されたシート状の部材である例を示したが、これに限らず、非スクリーン本体部１２０を形成する樹脂に対しても、樹脂層１１２又は基材層１１１と同様のガラス転移点を満たすものを用いてもよい。
【００４１】
（３）本実施例では、光吸収部１１２ｂは、光を吸収する作用を有する黒色ビーズを混練した樹脂によって形成される例を示したが、これに限らず、例えば、光透過部１１２ａの単位プリズム形状同士の間隙に、黒色のビーズを満遍なく充填し、粘着フィルム等を貼り合わせる等して単位プリズム形状同士の隙間に安定して保持する形態としてもよい。このとき、光吸収部１１２ｂ内でこの黒色ビーズが存在しない領域は、空隙となっているので、光吸収部１１２ｂが容易に変形することが可能となり、スクリーン１００を巻き上げるために必要な柔軟性を高めることができる。
【００４２】
（４）本実施例では、スクリーン１００は、スクリーン本体部１１０の両端に非スクリーン本体部１２０を有する例を示したが、これに限らず、非スクリーン本体部１２０はどちらか一方の端部だけに設けられてもよいし、非スクリーン本体部１２０を設けなくてもよい。
【００４３】
（５）本実施例では、巻き取り可能な反射スクリーン装置のスクリーンに適用される例を示したが、これに限らず、例えば、背面投射型の表示装置のスクリーン等に適用してもよい。
【００４４】
（６）本実施例では、スクリーン１００は、巻き取り型反射スクリーン装置１０の一部材である例を示したが、これに限らず、例えば、巻き取り機構を含まず、単体で用いられるスクリーンであってもよい。
【図面の簡単な説明】
【００４５】
【図１】本発明によるスクリーンの実施例を用いた巻き取り型反射スクリーン装置１０を示す図である。
【図２】本実施例のスクリーン１００の使用状態におけるスクリーン本体部１１０の垂直方向の断面図である。
【符号の説明】
【００４６】
１０    反射スクリーン装置
１００    スクリーン
１１０    スクリーン本体部
１１１    基材層
１１２    樹脂層
１１２ａ    光透過部
１１２ｂ    光吸収部
１１３    反射層
１２０    非スクリーン本体部
【図１】
2007328110.tif 000003
【図２】
2007328110.tif 000004